(57)【要約】【課題】装置本体の背面に表示デバイス及び電子ビューファインダーの接眼部をより好適に配置した撮像装置を提供することを可能とする。【解決手段】撮像装置１００において、撮像光学系１０１と、撮像光学系１０１を通過した光を受光して電気信号を生成する撮像素子と、装置本体１９０と、装置本体１９０の背面１９０ｂに設けられ、撮像素子が生成した電気信号に基づいて生成される画像を表示可能な表示デバイス１５０と、装置本体１９０の内部に設けられ、撮像素子が生成した電気信号に基づいて生成される画像を表示可能な電子ビューファインダー１７０と、を備え、表示デバイス１５０は透過性を有しており、電子ビューファインダー１７０の接眼部１７４が表示デバイス１５０の透過性を有する領域に設けられている。【選択図】図１
2020182250.tif 000002
【特許請求の範囲】
【請求項１】
撮像光学系と、
前記撮像光学系を通過した光を受光して電気信号を生成する撮像素子と、
装置本体と、
前記装置本体の背面に設けられ、前記撮像素子が生成した前記電気信号に基づいて生成される画像を表示可能な表示デバイスと、
前記装置本体の内部に設けられ、前記撮像素子が生成した前記電気信号に基づいて生成される画像を表示可能な電子ビューファインダーと、
を備え、
前記表示デバイスは透過性を有しており、前記電子ビューファインダーの接眼部が前記表示デバイスの透過性を有する領域に設けられており、
前記表示デバイスはバックライトを用いてユーザに表示内容を視認させる方式の表示デバイスであり、
前記表示デバイスの表示領域のうち前記接眼部以外の領域の裏面に第１のバックライトが配置され、
前記電子ビューファインダーの光学系と前記電子ビューファインダーの表示素子とが、前記接眼部を除いて遮光性を有する空間に配置されており、該空間にさらに第２のバックライトが配置されている、
撮像装置。
【請求項２】
請求項１に記載の撮像装置において、
前記電子ビューファインダーの光学系が、前記装置本体外部から見て、前記表示デバイスの透過性を有する領域に設けられた前記電子ビューファインダーの接眼部の領域の裏側に配置されている、
撮像装置。
【請求項３】
請求項１に記載の撮像装置において、
前記表示デバイスの表示領域のうち前記接眼部以外の領域と前記装置本体内部との間には、遮光マスクが設けられている、
撮像装置。
【請求項４】
請求項１に記載の撮像装置において、
前記表示デバイスは自発光方式の表示デバイスである、
撮像装置。
【請求項５】
請求項１に記載の撮像装置において、
制御部を備え、
前記制御部は、前記表示デバイスをオンさせると前記電子ビューファインダーをオフさせる第１の表示モードに切り替える、
撮像装置。
【請求項６】
請求項１に記載の撮像装置において、
制御部を備え、
前記制御部は、前記電子ビューファインダーをオンさせると、前記表示デバイスの表示領域のうち前記接眼部の部分の表示をオフさせる第２の表示モードに切り替える、
撮像装置。
【請求項７】
請求項６に記載の撮像装置において、
前記制御部は、前記第２の表示モードにおいて、前記表示デバイスの表示領域のうち前記接眼部以外の部分を黒表示させる、
撮像装置。
【請求項８】
請求項６に記載の撮像装置において、
前記制御部は、前記第２の表示モードにおいて、前記表示デバイスの表示領域のうち前記接眼部と隣接する領域に、前記電子ビューファインダーがオンされていることを示す画像を表示させる、
撮像装置。
【請求項９】
請求項１に記載の撮像装置において、
前記接眼部付近でユーザの接眼を検出する接眼検出センサと、
制御部と、
を備え、
前記接眼検出センサが、前記ユーザの接眼を検出していない場合には、
前記制御部は、前記表示デバイスをオンさせ、前記電子ビューファインダーをオフさせる、第１の表示モードにする制御を行う、
撮像装置。
【請求項１０】
請求項９に記載の撮像装置において、
前記接眼検出センサが、前記ユーザの接眼を検出すると、
前記制御部は、前記接眼部の前記表示デバイスをオフさせ、前記電子ビューファインダーをオンさせる、第２の表示モードに切り替える制御を行う、
撮像装置。
【発明の詳細な説明】
【技術分野】
【０００１】
本発明は、撮像装置に関するものである。
【背景技術】
【０００２】
近年、コンパクトデジタルカメラ、ミラーレスデジタルカメラのラインナップが、各社で充実してきており、上位機種と下位機種との間で差別化が図られている。上位機種では、例えば、電子ビューファインダー（ＥＶＦ）がデジタルカメラの装置本体に内蔵されている。これに対して、下位機種における電子ビューファインダーは、オプションとして外付けされるようになっている。
【０００３】
電子ビューファインダーが内蔵された上位機種のデジタルカメラには、装置本体の上部に突起部が設けられたもの、装置本体の上部がフラットにされたもの等がある。
【０００４】
特許文献１には、装置本体の上部に突起部が設けられたデジタルカメラの一例が示されている。特許文献１のデジタルカメラでは、装置本体の背面に液晶モニタが設けられ、装置本体の上部の突起部に電子ビューファインダーの接眼部が設けられている。
【０００５】
特許文献２には、装置本体の上部がフラットにされたタイプのデジタルカメラの一例が示されている。特許文献２のデジタルカメラでは、カメラ本体の背面に、表示装置及び電子ビューファインダーの接眼部がそれぞれ設けられている。
【先行技術文献】
【特許文献】
【０００６】
【特許文献１】国際公開第２０１０／０２９７６７号
【特許文献２】特開２０１０−９２０２８号公報
【発明の概要】
【発明が解決しようとする課題】
【０００７】
装置本体の上部に突起部が設けられたデジタルカメラでは、突起部にＥＶＦの接眼部が設けられるため、表示デバイス等を含めた装置本体の背面のレイアウト自由度が高くなるが、突起部があることにより収納性や携帯性が損なわれる。
【０００８】
これに対して、装置本体の上部がフラットにされたデジタルカメラでは、収納性や携帯性が損われない。しかしながら、装置本体の背面に表示装置及びＥＶＦの接眼部等が設けられているため、ＥＶＦの接眼部の領域面積と表示装置の表示部面積がトレードオフの関係になる。例えば、ＥＶＦの接眼部の領域面積を確保するために表示装置の表示部面積を小さくする必要があるなどの設計上の制約が存在する。すなわち、装置本体の背面のレイアウト自由度が低くなる。
【０００９】
そこで、本発明の目的は、装置本体の背面に表示デバイス及び電子ビューファインダーの接眼部をより好適に配置した撮像装置を提供することにある。
【課題を解決するための手段】
【００１０】
本願において開示される発明のうち、代表的なものの概要を簡単に説明すれば、以下のとおりである。
【００１１】
本発明の代表的な実施の形態による撮像装置は、撮像光学系と、撮像光学系を通過した光を受光して電気信号を生成する撮像素子と、装置本体と、装置本体の背面に設けられ、撮像素子が生成した電気信号に基づいて生成される画像を表示可能な表示デバイスと、装置本体の内部に設けられ、撮像素子が生成した電気信号に基づいて生成される画像を表示可能な電子ビューファインダーと、を備え、表示デバイスは透過性を有しており、電子ビューファインダーの接眼部が表示デバイスの透過性を有する領域に設けられている。
【発明の効果】
【００１２】
本願において開示される発明のうち、代表的なものによって得られる効果を簡単に説明すれば以下のとおりである。
【００１３】
すなわち、本発明の代表的な実施の形態によれば、装置本体の背面に表示デバイス及び電子ビューファインダーの接眼部をより好適に配置した撮像装置を提供することが可能となる。
【図面の簡単な説明】
【００１４】
【図１】本発明の実施の形態１に係る撮像装置の構成の一例を示す図である。
【図２】本発明の実施の形態１に係る撮像装置の構成の一例を示す図である。
【図３】本発明の実施の形態１に係る撮像装置の構成の一例を示すブロック図である。
【図４】本発明の実施の形態１に係る撮像装置の構成の一例を示すブロック図である。
【図５】横位置で撮像装置を使用した場合における構え方の一例を示す図である。
【図６】縦位置で撮像装置を使用した場合における構え方の一例を示す図である。
【図７】本発明の実施の形態１に係る背面表示モード及びＥＶＦ表示モードにおける表示デバイスの表示内容の一例を示す図である。
【図８】本発明の実施の形態１に係る背面表示モード及びＥＶＦ表示モードにおける表示デバイスの表示内容の一例を示す図である。
【図９】本発明の実施の形態１に係る背面表示モード及びＥＶＦ表示モードにおける表示デバイスの表示内容の一例を示す図である。
【図１０】本発明の実施の形態１に係るＥＶＦに表示される画像の一例を示す図である。
【図１１】背面表示モード及びＥＶＦ表示モードにおける各部の状態を比較して示す図である。
【図１２】本発明の実施の形態２に係る撮像装置の構成の一例を示す背面図である。
【図１３】本発明の実施の形態２に係る撮像装置の他の構成の例を示す図である。
【図１４】本発明の実施の形態２に係る撮像装置の他の構成の例を示す背面図である。
【発明を実施するための形態】
【００１５】
以下、本発明の実施の形態の例を、図面を用いて説明する。なお、以下に説明する実施の形態は、本発明を実現するための一例であり、本発明が適用される装置の構成や各種条件によって、適宜修正又は変更されるべきものであり、本発明は以下の実施の形態に限定されるものではない。また、後述する各実施形態の一部を適宜組み合わせて構成されてもよい。
【００１６】
（実施の形態１）
＜撮像装置の構成＞
図１及び図２は、本発明の実施の形態１に係る撮像装置の構成の一例を示す図である。図３及び図４は、本発明の実施の形態１に係る撮像装置の構成の一例を示すブロック図である。図１（Ａ）および図２（Ａ）は、装置本体の背面から見た斜視図、図１（Ｂ）および図２（Ｂ）は、背面に対して左から見た断面図である。なお、図１（Ｂ）および図２（Ｂ）では、後述するＥＶＦ（電子ビューファインダー）の構成が明示されている。
【００１７】
撮像装置１００は、図１、図３に示すように、装置本体１９０、撮像光学系１０１、撮像素子１０２、撮像画像生成部１０３、不揮発性メモリ１２１、メモリ１２２、操作入力部１２３、スピーカー１２４、ストレージ部１２５、表示画像生成部１２６、画像調整部１２７、マイク１２８、姿勢検出センサ１３０、接眼検出センサ１３１、制御部１１０、表示デバイス１５０、ＥＶＦ１７０等を備えている。なお、撮像装置１００は各部を駆動する電源を供給するために内部電源(内蔵電池または格納部に格納された交換式電池など)または外部電源接続部を備えるが、説明を簡略化するために図示は省略する。
図１、図３は、表示デバイス１５０がバックライトを必要としない方式の場合の例である。これに対して、図２、図４の例では、表示デバイス１５０がバックライトを用いる方式の例であり、第１のバックライト１５５および第２のバックライト１５６をさらに備えている。以下、図１、図３の例と図２、図４の例を並列的に説明する。
【００１８】
装置本体１９０は、図１（Ａ）および図２（Ａ）に示すように、例えば直方体状に構成されている。装置本体１９０は、撮像装置１００の撮像光学系１０１が光を取り込む前面１９０ａと、表示デバイス１５０が横長の矩形状に配置される背面１９０ｂと、上面１９０ｅと底面１９０ｆと、前面１９０ａに対して装置本体１９０の左右のそれぞれに位置する第１の側面１９０ｃと第２の側面１９０ｄとを有する。したがって、装置本体１９０の第１の側面１９０ｃと第２の側面１９０ｄとは互いに装置本体１９０の反対側に位置している。装置本体１９０には、撮像装置１００を構成する各部が装置本体１９０内部および装置本体１９０の各面に設けられている。装置本体１９０の上面１９０ｅ付近の領域は、撮像装置１００の軍艦部を構成している。
【００１９】
撮像光学系１０１は、例えば図１（Ｂ）、図２（Ｂ）、図３および図４に示すように、その一部が装置本体１９０の前面１９０ａから突出するように設けられている。この突出部を鏡筒と称する。撮像光学系１０１は、例えば、図示しないレンズや絞り等を備えている。撮像光学系１０１は、装置本体１９０の前面１９０ａ側において被写体からの入射光を取り込む。例えば、図１（Ｂ）、図２（Ｂ）には、装置本体１９０の前面１９０ａ側から所定の画角の光が、撮像光学系１０１から取り込まれる例が示されている。取り込まれた入射光は、図示しないレンズにより集光され、集光された入射光が撮像素子１０２に照射される。このような撮像光学系１０１の構成は既知の技術を用いればよく、本願発明においては特定の構成に限定されない。なお、沈胴式構造を採用する場合には、撮像光学系１０１の鏡筒部分は、撮像装置１００の電源がオンされると、装置本体１９０の前面１９０ａから突出し、撮像装置１００の電源がオフされると、前面１９０ａから突出した部分が装置本体１９０内に収納されるように構成されてもよい。
【００２０】
撮像素子１０２は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）、ＣＣＤ（Ｃｈａｒｇｅ  Ｃｏｕｐｌｅｄ  Ｄｅｖｉｃｅ）等で構成されている。撮像素子１０２のそれぞれの画素では、撮像光学系１０１から照射された入射光が電荷として蓄えられることにより、撮像光学系１０１からの入射光が電気信号に変換される。このように、撮像素子１０２では、画素ごとに画像信号としての電気信号が生成される。すなわち、撮像素子１０２は、撮像光学系１０１を通過した光を受光して電気信号を生成する。生成された電気信号は、撮像素子１０２から撮像画像生成部１０３へ出力される。
【００２１】
撮像画像生成部１０３は、撮像素子１０２から出力された各画素の電気信号に基づいて被写体の撮像画像等の画像を生成する。例えば、撮像画像生成部１０３は、撮像素子１０２から出力された電気信号を、所定ビットの階調幅を持ったデジタル画像データに変換することにより被写体の撮像画像を生成する。あるいは、撮像画像生成部１０３は、撮像素子１０２への露光量を異ならせて生成した複数の撮像画像に基づいてＨＤＲ（Ｈｉｇｈ  Ｄｙｎａｍｉｃ  Ｒａｎｇｅ）合成画像を生成する。また、撮像画像生成部１０３は、撮像素子１０２から連続して出力された電気信号に基づいて動画像を生成してもよい。動画像が生成される際、例えば、後述するマイク１２８により外部の音声情報が取得される。生成された撮像画像、ＨＤＲ合成画像、動画像、取得された音声情報等は、撮像画像生成部１０３からストレージ部１２５へ出力され、ストレージ部１２５に格納される。
【００２２】
また、撮像画像生成部１０３は、後述する背面ライブビューモード及びＥＶＦライブビューモードでは、撮像素子１０２から連続して出力された電気信号に基づいて生成した画像を連続して表示デバイス１５０、又はＥＶＦ表示素子１７１へ出力し、表示デバイス１５０、又はＥＶＦ表示素子１７１にライブビュー画像を表示させる。
【００２３】
不揮発性メモリ１２１は、撮像装置１００に各種機能を実現させる各種プログラムやメニュー画像等を格納する。例えば、不揮発性メモリ１２１は、撮像装置１００の基本動作に関するプログラム、カメラ機能に関するプログラム、音声認識機能に関するプログラム等の各種プログラムを格納する。また、不揮発性メモリ１２１は、撮像装置１００に関する設定情報等を格納する。
【００２４】
メモリ１２２では、不揮発性メモリ１２１に格納された各種プログラムが展開される。メモリ１２２に展開された各種プログラムが制御部１１０により実行されると、撮像装置１００では、各プログラムが有する各種機能が実現される。例えば、基本動作に関するプログラムが実行されると、撮像装置１００では、基本動作が実現される。また、例えば、カメラ機能に関するプログラムが実行されると、撮像装置１００では、カメラ機能が実現される。また、例えば、撮像装置１００は、音声認識機能に関するプログラムが実行されると、音声認識機能が実現されるように構成されてもよい。
【００２５】
操作入力部１２３は、撮像装置１００に対する操作指示の入力を行う指示入力部である。操作入力部１２３は、例えば図１（Ａ）および図２（Ａ）に示すように、撮像ボタン１２３ａ、メニューボタン１２３ｂ、操作ボタン１２３ｃ、操作入力キー１２３ｄ、電源スイッチ１２３ｅ等を含む。また、これら以外の操作ボタン等が設けられてもよい。
【００２６】
電源スイッチ１２３ｅは、例えば装置本体１９０の上面１９０ｅに設けられており、撮像装置１００の電源オン状態と電源オフ状態とを切り替える。以下の説明の各部の動作は、原則として電源オン状態で機能を発揮するものである。
【００２７】
撮像ボタン１２３ａは、装置本体１９０の上面１９０ｅに設けられている。具体的には、撮像ボタン１２３ａは、例えば図１（Ａ）および図２（Ａ）に示すように、装置本体１９０の上面１９０ｅにおける、装置本体１９０の第１の側面１９０ｃ側に設けられている。撮像ボタン１２３ａは、軽く押し込まれるといわゆる半押し状態となり、撮像光学系１０１により、被写体に対するフォーカシングが行われる。また、撮像ボタン１２３ａが強く押し込まれると、被写体の撮像が行われる。なお、撮像ボタン１２３ａは、装置本体の第２の側面１９０ｄ側に設けられてもよい。
【００２８】
メニューボタン１２３ｂ、操作ボタン１２３ｃ、操作入力キー１２３ｄは、例えば図１（Ａ）および図２（Ａ）に示すように、装置本体１９０の背面１９０ｂの第１の側面１９０ｃ側に設けられている。メニューボタン１２３ｂが操作されると、例えば、後述する表示デバイス１５０等にメニュー画面が表示される。操作ボタン１２３ｃが操作されると、例えば、後述する背面表示モードとＥＶＦ表示モードとの切り替え、後述するライブビューモードと再生モードとの切り替え等が行われる。
【００２９】
操作入力キー１２３ｄが操作されると、例えばメニュー画面において、設定変更される項目の選択、変更内容の選択等が行われる。また、操作入力キー１２３ｄが操作されると、例えば表示デバイス１５０等に表示させる画像の選択等が行われる。また、操作入力キー１２３ｄが操作されると、撮像モード（例えば、通常撮像モード、ＨＤＲ撮像モード、動画像撮像モード等）の選択、フォーカスポイントの選択、撮像感度の選択等が行われる。
【００３０】
スピーカー１２４は、例えば、動画像に関連する音声を出力する。また、スピーカー１２４は、例えば、撮像装置１００のシャッター音、操作等に関する通知音、警告音等を出力する。
【００３１】
ストレージ部１２５は、例えば、フラッシュメモリ、ＳＳＤ（Ｓｏｌｉｄ  Ｓｔａｔｅ  Ｄｒｉｖｅ）、ＨＤＤ（Ｈａｒｄ  Ｄｉｓｃ  Ｄｒｉｖｅ）等の不揮発性メモリで構成されている。ストレージ部１２５は、例えば、撮像画像生成部１０３で生成された撮像画像、ＨＤＲ合成画像、動画像、マイク１２８で取得された動画像に関連する音声情報等を格納する。ストレージ部１２５は、内部ストレージだけではなく、これに加えてまたはこれに変えて、着脱式の外部ストレージを備えてもよい。
【００３２】
表示画像生成部１２６は、例えば、後述する表示デバイス１５０やＥＶＦ１７０に表示させる各種画像（例えば、上述した設定画面、撮像モード選択画面、撮像画像選択画面、フォーカスポイント選択画面等に関する画像）を生成する。表示画像生成部１２６は、これらの画像以外にも、例えば、撮像する際における現在の設定情報（例えば、撮像モード、撮像素子１０２の感度、シャッター速度、絞り値、デジタル水準器等の各種情報）の画面を組み合わせた画像を生成してもよい。
【００３３】
画像調整部１２７は、表示デバイス１５０、ＥＶＦ表示素子１７１に表示させる画像の調整を行う。例えば、生成された撮像画像等のファイルサイズが大きく、表示デバイス１５０等に表示しきれない場合には、画像調整部１２７は、表示デバイス１５０に撮像画像が収まるよう、撮像画像の画質の調整を行う。また、例えば、生成された撮像画像のファイルサイズが小さく、表示デバイス１５０の一部にしか撮像画像が表示されない場合には、画像調整部１２７は、拡大させた撮像画像が表示されるよう、撮像画像の画質の調整を行ってもよい。
【００３４】
マイク１２８は、例えば動画像を撮像する場合等に、撮像装置１００の外部の音声を取得する。マイク１２８は、例えば、取得した音声を制御部１１０に出力し、制御部１１０において音声に関する音声データが生成される。生成された音声データは、ストレージ部１２５に出力され格納される。
【００３５】
姿勢検出センサ１３０は、例えば、加速度センサで構成されている。姿勢検出センサ１３０は、撮像装置１００に掛かる重力加速度の大きさ、方向を測定する。姿勢検出センサ１３０は、測定した重力加速度の大きさ、方向を、加速度情報として制御部１１０に出力し、制御部１１０は、加速度情報に基づいて、撮像装置１００の姿勢を検出する。
【００３６】
接眼検出センサ１３１は、ユーザがＥＶＦ１７０のＥＶＦ接眼部１７４を使用しているかを検出する。接眼検出センサ１３１は、ＥＶＦ１７０のＥＶＦ接眼部１７４の近傍に設けられている。例えば、接眼検出センサ１３１は、図１（Ａ）および図２（Ａ）に示すように、装置本体１９０の背面１９０ｂにおける、第２の側面１９０ｄと上面１９０ｅとが交差する位置の近傍に設けられている。接眼検出センサ１３１は、例えば、赤外線方式の近接センサーを用いればよい。また、接眼検出センサ１３１は、これ以外にも、誘導方式、静電容量方式、超音波方式、電磁波方式等で構成されてもよい。接眼検出センサ１３１は、例えば、ＥＶＦ１７０のＥＶＦ接眼部１７４付近におけるユーザの検出結果をユーザ検出情報として制御部１１０に出力し、制御部１１０は、ユーザ検出情報に基づいて、ユーザがＥＶＦ１７０を使用しているかを検出する。
【００３７】
表示デバイス１５０は、装置本体１９０の背面１９０ｂに設けられ、撮像素子１０２が生成した電気信号に基づいて生成される画像を表示可能である。表示デバイス１５０は、例えば図１（Ａ）および図２（Ａ）に示すように、装置本体１９０の背面１９０ｂにおいて、操作入力部１２３（例えば、メニューボタン１２３ｂ、操作ボタン１２３ｃ、操作入力キー１２３ｄ）と接眼検出センサ１３１との間の領域を覆うように設けられている。表示デバイス１５０は、例えば、図１（Ａ）および図２（Ａ）に示すように、横長の矩形状に構成されている。また、表示デバイス１５０は、透光性を有している。表示デバイス１５０は、例えば、有機ＥＬ（Ｅｌｅｃｔｒｏｌｕｍｉｎｅｓｃｅｎｃｅ）パネル、液晶パネル等で構成されている。透過性を有する表示デバイスの具体的な構造は、例えば、米国特許公開公報ＵＳ２０１５／００９８０３９等に開示される既知の構造を用いればよい。
【００３８】
有機ＥＬ（Ｅｌｅｃｔｒｏｌｕｍｉｎｅｓｃｅｎｃｅ）パネルなどの自発光方式の表示デバイスではバックライトが不要である。よって、このようなバックライトが不要な表示デバイスを用いる場合の構成としては、図１（Ａ）に示されるように、表示デバイス１５０の裏面のうちＥＶＦ接眼部１７４以外の部分と装置本体１９０との間にバックライトを設けずに裏面遮光マスク（遮光マスク）１７５を設ければよい。裏面遮光マスク１７５は、例えば遮光性を有する樹脂等で構成されている。この場合、ＥＶＦ接眼部１７４以外の領域では、表示デバイス１５０を透過した光や表示デバイス１５０自らが発する光は裏面遮光マスク１７５で遮断され、装置本体１９０内部側へ透過しない。
【００３９】
また、液晶パネルなど、ユーザに表示内容を視認させるためにバックライトを要する方式の表示デバイスを用いる場合には、図４に示す第１のバックライト１５５を表示デバイス１５０のＥＶＦ接眼部１７４以外の部分と裏面遮光マスク１７５の間に設ければよい。すなわち、第１のバックライト１５５は、表示デバイス１５０の表示領域のうちＥＶＦ接眼部１７４以外の領域の裏面に配置されている。ここで、表示デバイス１５０を透過した光や第１のバックライト１５５が発する光は、裏面遮光マスク１７５で遮断され、装置本体１９０内部側へ透過しない。ここで、第１のバックライト１５５だけでは、表示デバイス１５０のうちＥＶＦ接眼部１７４の部分についてのバックライトが実現できず、表示デバイス１５０のうちＥＶＦ接眼部１７４の部分だけ暗くなってしまう。そこで、例えば図２（Ｂ）に示すように、表示デバイス１５０のうちＥＶＦ接眼部１７４の部分についてのバックライト機能を実現するために、ＥＶＦ１７０内に第２のバックライト１５６が設けられている。第２のバックライト１５６の具体的構成および配置は後述する。
【００４０】
ＥＶＦ１７０は、例えば図１（Ｂ）および図２（Ｂ）に示すように、装置本体１９０の内部に設けられ、撮像素子１０２が生成した電気信号に基づいて生成される画像を表示可能である。ＥＶＦ１７０は、ＥＶＦ表示素子１７１、ＥＶＦ光学系１７２、ＥＶＦ暗室１７３、ＥＶＦ接眼部（接眼部）１７４等を備えている。
【００４１】
ＥＶＦ表示素子１７１は、撮像光学系１０１、撮像素子１０２、撮像画像生成部１０３を介して生成された撮像画像等の再生画像（静止画像または動画像）やライブビュー画像等を表示する。また、ＥＶＦ表示素子１７１はメニュー画像を表示する。ＥＶＦ表示素子１７１は、例えば、有機ＥＬパネル、液晶パネル等で構成されている。
【００４２】
表示デバイス１５０にバックライトが不要な表示デバイスを用いる場合、ＥＶＦ光学系１７２は、例えば図１（Ｂ）に示すように、レンズ１７２ａ、１７２ｃ、ミラー１７２ｂを有するように構成される。ＥＶＦ光学系１７２は、図１および図２に示すように、装置本体１９０の外部から見て、表示デバイス１５０の透過性を有する領域に設けられたＥＶＦ接眼部１７４の領域の裏側に配置されている。ＥＶＦ表示素子１７１が形成する光学像の光は、ＥＶＦ光学系１７２を介してＥＶＦ接眼部１７４に導かれ、ユーザの目の網膜に結像する。すなわち、ＥＶＦ表示素子１７１で表示された画像は、ＥＶＦ光学系１７２を介してＥＶＦ接眼部１７４で視認される。
【００４３】
なお、ＥＶＦ光学系１７２の光学設計は、例えば、特開２００５−１４８４８７や特開２００７−３１１９２５などに開示される既知の技術を用いればよい。
【００４４】
また、表示デバイス１５０にバックライトを要する表示デバイスを用いる場合、ＥＶＦ光学系１７２は、例えば図２（Ｂ）に示すように、レンズ１７２ａ、１７２ｃ、ハーフミラー１７２ｄ、第２のバックライト１５６を有するように構成すればよい。ＥＶＦ表示素子１７１の表示内容をユーザに視認させるときには、第２のバックライト１５６をオフとし、ＥＶＦ表示素子１７１が形成する光学像の光は、ハーフミラー１７２ｄを有するＥＶＦ光学系１７２を介してＥＶＦ接眼部１７４に導かれる。すなわち、このときＥＶＦ表示素子１７１で表示された画像は、ＥＶＦ光学系１７２を介してＥＶＦ接眼部１７４で視認される。第２のバックライト１５６のバックライト機能をオンにするときには、ＥＶＦ表示素子１７１の発光をオフとし、第２のバックライト１５６の発する光は、ハーフミラー１７２ｄ及びＥＶＦ光学系１７２の一部を透過して、表示デバイス１５０のうちＥＶＦ接眼部１７４の部分のバックライトとして機能する。このように、ＥＶＦ１７０内に第２のバックライト１５６を設けることにより、表示デバイス１５０のうちＥＶＦ接眼部１７４の部分のバックライトが欠落することを防ぐことができる。
【００４５】
なお、図３および図４においては、説明を簡単にするために、ＥＶＦ１７０内のＥＶＦ光学系１７２の各要素の図示は省略している。
【００４６】
ＥＶＦ暗室１７３は、遮光性を有する材質で構成され、ＥＶＦ表示素子１７１、ＥＶＦ光学系１７２、ＥＶＦ接眼部１７４の周囲を取り囲むように設けられている。ＥＶＦ１７０内では、ＥＶＦ接眼部１７４を除く領域が遮光され、ＥＶＦ１７０内に暗室状態が構成されている。すなわち、ＥＶＦ１７０は、ＥＶＦ接眼部１７４を除いて遮光性を有するように構成されている。このように、ＥＶＦ１７０内が暗室状態となっているため、装置本体１９０内部側の光がＥＶＦ１７０内に入らなくなっており、さらに、ＥＶＦ１７０内の光や透過性を有する表示デバイス１５０のＥＶＦ接眼部１７４の部分を介してＥＶＦ１７０に入射した光も装置本体１９０内部側に入らないように構成されている。したがって、ＥＶＦ光学系１７２とＥＶＦ表示素子１７１が、ＥＶＦ接眼部１７４を除いて遮光性を有する空間に配置されている。また、前述した第２のバックライト１５６は、このような遮光性を有する空間に配置されている。
【００４７】
ＥＶＦ接眼部１７４は、例えば図１（Ａ）および図２（Ａ）に示すように、表示デバイス１５０の一部に設けられている。具体的には、ＥＶＦ接眼部１７４は、表示デバイス１５０において、装置本体１９０の第２の側面１９０ｄ側、かつ、装置本体１９０の上面１９０ｅ側に設けられている。より具体的には、ＥＶＦ接眼部１７４は、例えば図１（Ａ）に示すように、表示デバイス１５０の左上の領域に設けられている。ＥＶＦ暗室１７３の開口部は、表示デバイス１５０と接している。ＥＶＦ接眼部１７４は、ＥＶＦ暗室１７３の開口部と、ＥＶＦ暗室１７３の開口部と接する領域の表示デバイス１５０とが一体となって構成されている。なお、撮像ボタン１２３ａが、装置本体１９０の第２の側面１９０ｄ側に設けられた場合には、ＥＶＦ接眼部１７４は、表示デバイス１５０において、装置本体１９０の第１の側面１９０ｃ側、かつ、装置本体１９０の上面１９０ｅ側に設けられていることが好ましい。当該ＥＶＦ接眼部１７４の配置の利点を、図５および図６を用いて説明する。
【００４８】
図５は、横位置で撮像装置を使用した場合における構え方の一例を示す図である。図６は、縦位置で撮像装置を使用した場合における構え方の一例を示す図である。ＥＶＦ接眼部１７４が上述の位置に配置されていれば、撮像装置１００が横位置で使用されても、例えば図５に示すように、撮像ボタン１２３ａを操作するユーザの手と、ＥＶＦ接眼部１７４を覗くユーザの顔とが交錯しない。また、撮像装置１００が縦位置で使用されても、例えば図６に示すように、撮像ボタン１２３ａを操作するユーザの手と、ＥＶＦ接眼部１７４を覗くユーザの顔とが交錯しない。
【００４９】
制御部１１０は、例えば、マイクロプロセッサユニット等のコンピュータで構成されている。制御部１１０は、メモリ１２２に展開された各種プログラムを実行することにより、撮像装置１００を構成する各部を制御する。
【００５０】
制御部１１０は、例えば、基本動作に関するプログラムを実行すると、撮像装置１００を構成する各部に対して基本動作に関する制御を行う。例えば、図示しない電源スイッチが操作され、撮像装置１００がオンされると、制御部１１０は、基本動作に関するプログラムに基づいて撮像装置１００の各部を起動させる。
【００５１】
制御部１１０は、例えば、カメラ機能に関するプログラムを実行すると、撮像装置１００を構成する各部に対してカメラ機能に関する制御を行う。例えば、制御部１１０は、撮像ボタン１２３ａが操作されると、撮像に係る各部を制御して被写体を撮像させる。また、制御部１１０は、各部に対して撮像した被写体の静止画像、動画像等の画像等を生成させる。また、制御部１１０は、例えば、メニューボタン１２３ｂ、操作ボタン１２３ｃ、操作入力キー１２３ｄ等への操作に基づいて、撮像装置１００の各部に対する制御を行う。
【００５２】
制御部１１０は、音声認識機能に関するプログラムを実行すると、撮像装置１００を構成する各部に対して音声認識機能に関する制御を行う。例えば、制御部１１０は、スピーカー１２４による音声の出力、マイク１２８による音声の取得等を行わせる。
【００５３】
＜背面表示モード＞
図７〜図９は、本発明の実施の形態１に係る背面表示モード及びＥＶＦ表示モードにおける表示デバイスの表示内容の一例を示す図である。制御部１１０は、表示デバイス１５０にライブビュー画像や再生画像を表示させる背面表示モード（第１の表示モード）と、ＥＶＦ１７０にライブビュー画像や再生画像を表示させるＥＶＦ表示モード（第２の表示モード）とを切り替える。
【００５４】
制御部１１０は、例えば、表示デバイス１５０をオンさせると、ＥＶＦ１７０をオフさせる背面表示モードに切り替える。具体的には、制御部１１０は、操作ボタン１２３ｃ等が操作され、背面表示モードが選択された場合には、表示デバイス１５０をオンさせ、ＥＶＦ表示素子１７１をオフさせる。背面表示モードは、背面ライブビューモード、背面再生モードからなる。
なお、図２及び図４に示される表示デバイス１５０にバックライトを要する表示デバイスを用いる場合には、背面表示モード（第１の表示モード）では、制御部１１０は、第１のバックライト１５５と第２のバックライト１５６をオンさせる。
【００５５】
なお、「ＥＶＦ表示素子１７１をオフさせる」とは、制御部１１０が、ＥＶＦ表示素子１７１への通電をオフさせる場合や、ＥＶＦ表示素子１７１へ通電させた状態で、ＥＶＦ表示素子１７１による画像表示を停止させ、ＥＶＦ表示素子１７１を発光させない場合も含まれる。
【００５６】
背面ライブビューモードとは、表示デバイス１５０に被写体のライブビュー画像を表示させることをいう。具体的には、制御部１１０は、撮像素子１０２に対し、画素ごとの電気信号を連続して撮像画像生成部１０３へ出力させる。また、制御部１１０は、撮像画像生成部１０３に対し、被写体の画像を連続して生成させる。そして、制御部１１０は、撮像画像生成部１０３に対し、生成させた画像を連続して表示デバイス１５０へ出力させる。このように、制御部１１０は、例えば図７（Ａ）に示すように、表示デバイス１５０に被写体のライブビュー画像を表示させる。なお、この間、制御部１１０は、ＥＶＦ表示素子１７１をオフさせておき、例えば図７（Ａ）に示すように、ＥＶＦ表示素子１７１にライブビュー画像等が表示されないようにしておく。
【００５７】
一方、背面再生モードとは、撮像装置１００で撮像され、ストレージ部１２５に記録された画像（静止画像または動画像）を表示デバイス１５０に表示することをいう。具体的には、制御部１１０は、撮像された画像をユーザに選択させる画像選択メニューを表示デバイス１５０に表示させる。制御部１１０は、ユーザに選択された画像をストレージ部１２５から読み出し、表示デバイス１５０へ出力する。このように、制御部１１０は、例えば図７（Ｂ）に示すように、表示デバイス１５０に再生画像を表示させる。なお、背面再生モードにおいても、制御部１１０は、例えば図７（Ｂ）に示すように、ＥＶＦ１７０をオフさせておき、ＥＶＦ表示素子１７１に画像が表示されないようにしておく。
【００５８】
背面表示モードでは、制御部１１０は、表示デバイス１５０に対し、表示デバイス１５０に表示された画像の情報を表示させるようにしてもよい。例えば、制御部１１０は、図８（Ａ）、（Ｂ）に示すように、ＥＶＦ接眼部１７４の装置本体１９０の第１の側面１９０ｃ側の表示デバイス１５０に画像を表示させる。また、制御部１１０は、ＥＶＦ接眼部１７４の装置本体１９０の底面１９０ｆ側の表示デバイス１５０に画像の情報を表示させる。
【００５９】
言い換えれば、制御部１１０は、ＥＶＦ接眼部１７４の右側の領域にライブビュー画像または再生画像を表示させ、ＥＶＦ接眼部１７４の下側の領域にライブビュー画像または再生画像の情報を表示させる。また、制御部１１０は、表示デバイス１５０に表示されたライブビュー画像または再生画像の情報を、例えば、ライブビュー画像または再生画像に重ねて表示させてもよい。その際、制御部１１０は、ライブビュー画像または再生画像の視認性を損なわないよう、例えば、ライブビュー画像または再生画像の端にライブビュー画像または再生画像の情報を表示させるようにすることが好ましい。
【００６０】
また、背面表示モードでは、制御部１１０は、ＥＶＦ接眼部１７４と隣接する領域の表示デバイス１５０に、ＥＶＦ１７０が利用可能であることを示す画像を表示させてもよい。
【００６１】
例えば、制御部１１０は、図９（Ａ）、（Ｂ）に示すように、装置本体１９０の底面１９０ｆ側から第１の側面側１９０ｃ側に渡ってＥＶＦ接眼部１７４を取り囲む領域の表示デバイス１５０に、ＥＶＦ１７０が利用可能であることを示す画像（例えば“ＥＶＦ  ＲＥＡＤＹ”などの表示）を表示させてもよい。
【００６２】
＜ＥＶＦ表示モード＞
また、制御部１１０は、ＥＶＦ１７０をオンさせるとＥＶＦ接眼部１７４の表示デバイス１５０をオフさせる、ＥＶＦ表示モードに切り替える。具体的には、制御部１１０は、操作ボタン１２３ｃ等が操作され、ＥＶＦ表示モードが選択された場合には、ＥＶＦ表示素子１７１をオンさせ、表示デバイス１５０の表示領域のうちＥＶＦ接眼部１７４の部分の表示をオフさせる。ＥＶＦ表示モードは、ＥＶＦライブビューモード、ＥＶＦ再生モードからなる。
なお、図２及び図４に示される表示デバイス１５０にバックライトを要する表示デバイス装置を用いる場合には、ＥＶＦ表示モード（第２の表示モード）では、制御部１１０は、第１のバックライト１５５と第２のバックライト１５６を共にオフさせる。
【００６３】
なお、「表示デバイス１５０の表示領域のうちＥＶＦ接眼部１７４の部分の表示をオフさせる」とは、制御部１１０が、ＥＶＦ接眼部１７４の表示デバイス１５０への通電をオフさせる場合や、ＥＶＦ接眼部１７４の表示デバイス１５０へ通電させた状態で、ＥＶＦ接眼部１７４の表示デバイス１５０による画像表示を停止させ、ＥＶＦ接眼部１７４の表示デバイス１５０を発光させない場合も含まれる。
【００６４】
ＥＶＦライブビューモードとは、ＥＶＦ１７０に被写体のライブビュー画像を表示させることをいう。具体的には、制御部１１０は、撮像素子１０２に対し、画素ごとの電気信号を連続して撮像画像生成部１０３へ出力させる。また、制御部１１０は、撮像画像生成部１０３に対し、被写体の画像を連続して生成させる。そして、制御部１１０は、撮像画像生成部１０３に対し、生成させた画像を連続してＥＶＦ１７０のＥＶＦ表示素子１７１へ出力させ、ＥＶＦ表示素子１７１に画像を表示させる。このように、制御部１１０は、例えば図７（Ａ）に示すように、ＥＶＦ１７０に被写体のライブビュー画像を表示させる。なお、この間、制御部１１０は、例えば図７（Ａ）に示すように、ＥＶＦ接眼部１７４の表示デバイス１５０をオフさせておき、ＥＶＦ接眼部１７４の表示デバイス１５０にライブビュー画像等が表示されないようにしておく。
【００６５】
一方、ＥＶＦ再生モードとは、撮像装置１００で撮像され、ストレージ部１２５に記録された画像（静止画像または動画像）をＥＶＦ１７０に表示することをいう。具体的には、制御部１１０は、撮像された画像をユーザに選択させる画像選択メニューをＥＶＦ表示素子１７１に表示させる。制御部１１０は、ユーザに選択された画像をストレージ部１２５から読み出し、ＥＶＦ表示素子１７１へ出力し、ＥＶＦ表示素子１７１に再生画像を表示させる。このように、制御部１１０は、例えば図７（Ｂ）に示すように、ＥＶＦ１７０に再生画像を表示させる。なお、ＥＶＦ再生モードにおいても、制御部１１０は、例えば図７（Ｂ）に示すように、ＥＶＦ接眼部１７４の表示デバイス１５０をオフさせておき、ＥＶＦ接眼部１７４の表示デバイス１５０に画像が表示されないようにしておく。
【００６６】
ＥＶＦライブビューモードやＥＶＦ再生モードなどのＥＶＦ表示モードでは、制御部１１０は、例えば図７（Ａ）、（Ｂ）、図８（Ａ）、（Ｂ）に示すように、表示デバイス１５０の表示領域のうちＥＶＦ接眼部１７４以外の部分を黒表示させてもよい。これにより、表示デバイス１５０の発光が抑えられ、ＥＶＦ接眼部１７４に接眼するユーザの眼に不要な光が入ってＥＶＦ表示素子１７１の表示内容の視認性が低下することを防ぐことができる。
【００６７】
また、ＥＶＦ表示モードでは、制御部１１０は、表示デバイス１５０の表示領域のうちＥＶＦ接眼部１７４と隣接する領域に、ＥＶＦ１７０がオンされていることを示す画像を表示させてもよい。
【００６８】
例えば、制御部１１０は、図９（Ａ）、（Ｂ）に示すように、装置本体１９０の底面１９０ｆ側から第１の側面側１９０ｃ側に渡ってＥＶＦ接眼部１７４を取り囲む表示デバイス１５０に、ＥＶＦ１７０がオンされていることを示す画像を表示させる。また、制御部１１０は、例えば図９（Ａ）、（Ｂ）に示すように、これら以外の領域の表示デバイス１５０を黒表示させてもよい。
【００６９】
図１０は、本発明の実施の形態１に係るＥＶＦに表示される画像の一例を示す図である。ＥＶＦ表示モードでは、制御部１１０は、ＥＶＦ１７０に対し、ＥＶＦ１７０に表示された画像（ライブビュー画像または再生画像）の情報を表示させるようにしてもよい。例えば、制御部１１０は、例えば図１０（Ａ）に示すように、ＥＶＦ表示素子１７１に対し、画像と画像の情報とを同一画面に別個で表示させてもよい。また、制御部１１０は、例えば図１０（Ｂ）に示すように、画像に画像の情報を重ねて表示させてもよい。また、制御部１１０は、画像の情報以外にも、撮像装置１００の設定情報やメニュー等を表示させてもよい。
【００７０】
制御部１１０は、操作ボタン１２３ｃ等の操作により表示モードを切り替える際、例えば図７（Ａ）、図８（Ａ）、図９（Ａ）に示すように、背面ライブビューモードとＥＶＦライブビューモードとを相互に切り替え、例えば図７（Ｂ）、図８（Ｂ）、図９（Ｂ）に示すように、背面再生モードとＥＶＦ再生モードとを相互に切り替える。また、制御部１１０は、これら以外にも、背面ライブビューモードとＥＶＦ再生モードとを相互に切り替えてもよいし、背面再生モードとＥＶＦライブビューモードとを相互に切り替えてもよい。
【００７１】
＜表示モードの自動切り替え＞
ここまでは、表示モードが手動で切り替えられる場合について説明したが、表示モードが自動で切り替えられてもよい。
【００７２】
図１１は、背面表示モード及びＥＶＦ表示モードにおける各部の状態を比較して示す図である。接眼検出センサ１３１がユーザの接眼を検出していない場合には、制御部１１０は、例えば図１１に示すように、表示デバイス１５０をオンさせ、ＥＶＦ１７０をオフさせる背面表示モードに切り替える。このとき、表示デバイス１５０がバックライトを要する方式の表示デバイスである場合、制御部１１０は、第１のバックライト１５５と第２のバックライト１５６をともにオンさせる。
また、接眼検出センサ１３１が、ユーザの接眼を検出すると、制御部１１０は、例えば図１１に示すように、ＥＶＦ接眼部１７４の表示デバイス１５０をオフさせ、ＥＶＦ１７０をオンさせるＥＶＦ表示モードに切り替える。このとき、表示デバイス１５０がバックライトを要する方式の表示デバイスである場合、制御部１１０は、第１のバックライト１５５と第２のバックライト１５６をともにオフさせる。
このように、制御部１１０は、接眼検出センサ１３１によるユーザの接眼の検出結果に基づいて、背面表示モードとＥＶＦ表示モードとを交互に切り替える。具体的には、制御部１１０は、例えば図７（Ａ）、図８（Ａ）、図９（Ａ）に示すように、背面ライブビューモードとＥＶＦライブビューモードとを相互に切り替える。また、制御部１１０は、例えば図７（Ｂ）、図８（Ｂ）、図９（Ｂ）に示すように、背面再生モードとＥＶＦ再生モードとを相互に切り替える。また、表示モードを自動で切り替える場合にも、制御部１１０は、背面ライブビューモードとＥＶＦ再生モードとを相互に切り替えてもよいし、背面再生モードとＥＶＦライブビューモードとを相互に切り替えてもよい。
【００７３】
＜本実施の形態による効果＞
本実施の形態によれば、ＥＶＦ１７０のＥＶＦ接眼部１７４が表示デバイス１５０に設けられている。
【００７４】
この構成によれば、ＥＶＦ接眼部１７４と表示デバイス１５０とを別個で設けなくてもよいので、ＥＶＦ接眼部１７４の領域サイズと表示デバイス１５０の領域サイズのトレードオフが解消される。具体的には、装置本体１９０の背面１９０ｂに表示デバイス１５０の領域を確保すれば、ＥＶＦ接眼部１７４の設置スペースを別途確保する必要はない。これにより、装置本体１９０の背面１９０ｂに表示デバイス１５０及びＥＶＦ接眼部１７４をより好適に配置した撮像装置１００が提供される。
【００７５】
また、本実施の形態によれば、ＥＶＦ接眼部１７４以外の表示デバイス１５０と装置本体１９０との間には、裏面遮光マスク１７５が設けられている。
【００７６】
この構成によれば、ＥＶＦ接眼部１７４以外の領域において、表示デバイス１５０を透過した光が裏面遮光マスク１７５で遮断されるので、透過光の乱反射が抑えられる。これにより、表示デバイス１５０のコントラストの低下が抑えられ、表示デバイス１５０で表示されライブビュー画像等の視認性を向上させた撮像装置１００が提供される。
【００７７】
また、本実施の形態によれば、ＥＶＦ光学系１７２が、装置本体１９０の外部から見て、表示デバイス１５０の透過性を有する領域に設けられたＥＶＦ接眼部１７４の領域の裏側に配置されている。
【００７８】
この構成によれば、ＥＶＦ表示素子１７１とＥＶＦ接眼部１７４との間の距離が短縮されるので、ＥＶＦ１７０のサイズを抑えることができる。これにより、サイズの増大を抑えつつ、ＥＶＦ１７０を備えた撮像装置１００が提供される。
【００７９】
また、本実施の形態によれば、表示デバイス１５０が横長の矩形状に構成され、装置本体１９０の上面１９０ｅにおける、装置本体１９０の第１の側面１９０ｃ側に撮像ボタン１２３ａが設けられている。そして、ＥＶＦ接眼部１７４が、表示デバイス１５０において、装置本体１９０の第２の側面１９０ｄ側、かつ、装置本体１９０の上面１９０ｅ側に設けられている。
【００８０】
この構成によれば、横位置及び縦位置で撮像装置１００を使用した場合でも、撮像ボタン１２３ａを操作するユーザの手と、ＥＶＦ接眼部１７４を覗くユーザの顔とが交錯しないので、取り回しに優れた撮像装置１００が提供される。
【００８１】
また、本実施の形態によれば、ＥＶＦ１７０が、ＥＶＦ接眼部１７４を除いて遮光性を有している。すなわち、ＥＶＦ光学系１７２とＥＶＦ表示素子１７１が、ＥＶＦ接眼部１７４を除いて遮光性を有する空間に配置されている。
【００８２】
この構成によれば、ＥＶＦ接眼部１７４を透過した光がＥＶＦ暗室１７３で遮断されるので、ＥＶＦ１７０を介して装置本体１９０内へ光が侵入しなくなる。これにより、ノイズを低減した高品質な撮像画像が生成される。また、この構成によれば、接眼中にＥＶＦ１７０内を暗室環境にすることができ、ＥＶＦ接眼部１７４におけるコントラストの低下が抑えられ、ＥＶＦ１７０における画像等の視認性を向上させた撮像装置１００が提供される。
【００８３】
また、本実施の形態によれば、制御部１１０は、表示デバイス１５０をオンさせると、ＥＶＦ１７０をオフさせる背面表示モードに切り替える。
【００８４】
この構成によれば、背面表示モードにおいて、ＥＶＦ接眼部１７４の部分において、表示デバイス１５０による画像等の表示と、ＥＶＦ１７０による画像等の表示とが重ならないので、表示デバイス１５０の表示品質を向上させた撮像装置１００が提供される。
【００８５】
また、本実施の形態によれば、背面表示モードにおいて、制御部１１０は、表示デバイス１５０に対し、表示デバイス１５０に表示された画像の情報を表示させる。
【００８６】
この構成によれば、画像の情報がユーザに認識されるので、利便性に優れた撮像装置１００が提供される。
【００８７】
また、本実施の形態によれば、表示デバイス１５０がバックライトを要する方式の表示デバイスである場合、ＥＶＦ接眼部１７４以外の表示デバイス１５０と装置本体１９０との間に、第１のバックライト１５５が設けられており、ＥＶＦ１７０内には第２のバックライト１５６が設けられている。
【００８８】
この構成によれば、背面表示モードにおいて、表示デバイス１５０のＥＶＦ接眼部１７４の部分のみバックライトが欠落すること防止することができる。
【００８９】
また、本実施の形態によれば、表示デバイス１５０は自発光方式の表示デバイスである有機ＥＬ素子で構成されている。
【００９０】
この構成によれば、バックライトを省略することができるので、軽量化、薄型化された表示デバイス１５０が提供される。これにより、軽量化、薄型化された撮像装置１００が提供される。
【００９１】
また、本実施の形態によれば、制御部１１０は、ＥＶＦ１７０をオンさせると、ＥＶＦ接眼部１７４の表示デバイス１５０をオフさせるＥＶＦ表示モードに切り替える。
【００９２】
この構成によれば、ＥＶＦ表示モードにおいて、ＥＶＦ接眼部１７４の部分において、ＥＶＦによる画像等の表示と、表示デバイス１５０による画像等の表示とが重ならないので、ＥＶＦ１７０での表示品質を向上させた撮像装置１００が提供される。
【００９３】
また、本実施の形態によれば、ＥＶＦ表示モードにおいて、制御部１１０は、ＥＶＦ接眼部１７４以外の表示デバイス１５０を黒表示させる。
【００９４】
この構成によれば、ＥＶＦ接眼部１７４に接眼するユーザの眼に不要な光が入ってＥＶＦ１７０の表示内容のコントラストの低下をより抑えた撮像装置１００が提供される。
【００９５】
また、本実施の形態によれば、ＥＶＦ表示モードにおいて、制御部１１０は、ＥＶＦ接眼部１７４と隣接する領域の表示デバイス１５０に、ＥＶＦ１７０がオンされていることを示す画像を表示させる。
【００９６】
この構成によれば、現在の表示モードがユーザに認識されるので、利便性に優れた撮像装置１００が提供される。
【００９７】
また、本実施の形態によれば、ＥＶＦ表示モードにおいて、制御部１１０は、ＥＶＦ１７０に対し、ＥＶＦ１７０に表示された画像の情報を表示させる。
【００９８】
この構成によれば、ユーザはＥＶＦ接眼部１７４から目を離すことなく画像の情報を取得することができるので、利便性に優れた撮像装置１００が提供される。
【００９９】
また、本実施の形態によれば、表示デバイス１５０がバックライトを要する方式の表示デバイスである場合、ＥＶＦ接眼部１７４以外の表示デバイス１５０と装置本体１９０との間に、第１のバックライト１５５が設けられており、ＥＶＦ１７０内には第２のバックライト１５６が設けられ、ＥＶＦ表示モードにおいては、ＥＶＦ１７０内には第２のバックライト１５６をオフにする。
【０１００】
この構成によれば、ＥＶＦ表示モードにおいて、ＥＶＦ１７０の表示内容のコントラストの低下をより抑えた撮像装置１００が提供される。
【０１０１】
また、本実施の形態によれば、接眼検出センサ１３１が、ユーザの接眼を検出していない場合には、制御部１１０は、表示デバイス１５０をオンさせ、ＥＶＦ１７０をオフさせる背面表示モードに切り替える。
【０１０２】
この構成によれば、ユーザがＥＶＦ接眼部１７４から目を離していれば、自動的に背面表示モードに切り替わるので、表示モードの切り替え操作が不要で、利便性に優れた撮像装置１００が提供される。
【０１０３】
また、本実施の形態によれば、接眼検出センサ１３１が、ユーザの接眼を検出すると、制御部１１０は、ＥＶＦ接眼部１７４の表示デバイス１５０をオフさせ、ＥＶＦ１７０をオンさせるＥＶＦ表示モードに切り替える。
【０１０４】
この構成によれば、ユーザがＥＶＦ接眼部１７４を覗き込んでいれば、自動的にＥＶＦ表示モードに切り替わるので、表示モードの切り替え操作が不要で、利便性に優れた撮像装置１００が提供される。
【０１０５】
（実施の形態２）
本実施の形態では、表示デバイス１５０に隣接して、遮光部材が設けられた場合について説明する。図１２は、本発明の実施の形態２に係る撮像装置の構成の一例を示す背面図である。
【０１０６】
本実施の形態に係る撮像装置２００は、例えば図１２に示すように、遮光部材２８１を備えている。具体的には、装置本体１９０の背面１９０ｂには、表示デバイス１５０の周囲に、ユーザの接眼時にＥＶＦ接眼部１７４とユーザの顔の間から、ＥＶＦ接眼部１７４への光の侵入を抑える遮光部材２８１が設けられている。
【０１０７】
遮光部材２８１は、例えば図１２に示すように、表示デバイス１５０に対して、装置本体１９０の第２の側面１９０ｄ側及び上面１９０ｅ側に渡って設けられている。例えば、遮光部材２８１は、図１２に示すように、遮光部材２８１ａ及び遮光部材２８１ｂで構成されている。遮光部材２８１ａは、図１２に示すように、装置本体１９０の第２の側面１９０ｄ側で、表示デバイス１５０の短手方向（縦方向）に延在して設けられている。一方、遮光部材２８１ｂは、装置本体１９０の上面１９０ｅ側で、表示デバイス１５０の長手方向（横方向）に延在して設けられている。これにより、図５に示すようにユーザが横位置で撮像装置を使用した場合、太陽光が注きこむ可能性が高い装置本体１９０の上面１９０ｅ側や装置本体１９０の第２の側面１９０ｄ側からの光の侵入を抑えることが可能となる。遮光部材２８１（２８１ａ、２８１ｂ）は、例えば、遮光性を有する樹脂等で構成されている。
【０１０８】
なお、ここでは、例えば図１２に示すように、ＥＶＦ接眼部１７４の左側、上側に遮光部材２８１ａ、２８２ｂが設けられているが、これ以外にも、ＥＶＦ接眼部１７４の周囲には、可能な限り遮光部材が設けられることが好ましい。
【０１０９】
図１３は、本発明の実施の形態２に係る撮像装置の他の構成の例を示す図である。遮光部材２８１は、例えば図１３に示すように、装置本体１９０の上面１９０ｅ側における長さが、表示デバイス１５０の長手方向におけるＥＶＦ接眼部１７４の長さの２倍以上となるように構成されていることが好ましい。すなわち、遮光部材２８１は、横方向の長さが、ＥＶＦ接眼部１７４の横方向の長さの２倍以上となるように構成されている。このように、遮光部材２８１ｂは、横方向の長さがＥＶＦ接眼部１７４の横方向の幅よりも十分に長く構成されていることが好ましい。これにより、図５に示すようにユーザが横位置で撮像装置を使用した場合、太陽光が注きこむ可能性が高い装置本体１９０の上面１９０ｅからの光の侵入可能角度を極力狭めることが可能となる。また、例えば、図６に示すようにユーザが縦位置で撮像装置を使用した場合、太陽光が注きこむ可能性が高い装置本体１９０の第１の側面１９０ｃ側からの光の侵入可能角度を極力狭めることが可能となる。
【０１１０】
図１４は、本発明の実施の形態２に係る撮像装置の他の構成の例を示す背面図である。本実施の形態における撮像装置２００では、遮光部材２８２が、表示デバイス１５０に対して、装置本体１９０の第１の側面１９０ｃ側に設けられてもよい。これにより、例えば、図６に示すようにユーザが縦位置で撮像装置を使用した場合、太陽光が注きこむ可能性が高い装置本体１９０の第１の側面１９０ｃ側からの光の侵入をさらに防ぐことが可能となる。遮光部材２８２は、図１４に示すように、表示デバイス１５０の短手方向（縦方向）に延在している。
【０１１１】
＜本実施の形態による効果＞
本実施の形態によれば、上述の実施の形態による効果に加え、以下の効果を奏する。本実施の形態によれば、遮光部材２８１が、表示デバイス１９０の周囲に隣接して設けられている。
【０１１２】
この構成によれば、ユーザの接眼時にＥＶＦ接眼部１７４とユーザの顔の間からＥＶＦ接眼部１７４に入射する光が抑えられるので、ＥＶＦ１７０におけるコントラストの低下が抑えられ、ＥＶＦ１７０の視認性を向上させた撮像装置２００が提供される。
【０１１３】
また、本実施の形態によれば、遮光部材２８１が、表示デバイス１５０に対して、装置本体１９０の第２の側面１９０ｄ側及び前記上面１９０ｅ側に渡って設けられている。また、遮光部材２８１は、装置本体１９０の第２の側面１９０ｄ側では、表示デバイス１５０の短手方向に延在し、装置本体１９０の上面１９０ｅ側では、表示デバイス１５０の長手方向に延在している。
【０１１４】
この構成によれば、遮光部材２８１が、ＥＶＦ接眼部１７４の近傍に設けられることとなるので、ＥＶＦ接眼部１７４への光の侵入をより抑えられる。これにより、ＥＶＦ１７０におけるコントラストの低下がより抑えられ、ＥＶＦ１７０の視認性をより向上させた撮像装置２００が提供される。
【０１１５】
また、本実施の形態によれば、遮光部材２８１は、装置本体１９０の上面１９０ｅ側における長さが、表示デバイス１５０の長手方向におけるＥＶＦ接眼部１７４の長さの２倍以上となるように構成されている。
【０１１６】
この構成によれば、表示デバイス１５０の右斜め上方からの光の侵入が抑えられるので、ＥＶＦ１７０におけるコントラストの低下がより抑えられ、ＥＶＦ１７０の視認性をより向上させた撮像装置２００が提供される。
【０１１７】
また、本実施の形態によれば、遮光部材２８２が、表示デバイス１５０に対して、装置本体１９０の第１の側面１９０ｃ側に設けられ、表示デバイス１５０の短手方向に延在している。
【０１１８】
この構成によれば、表示デバイス１５０の横方向からの光の侵入が抑えられるので、ＥＶＦ１７０の視認性をより向上させた撮像装置２００が提供される。また、この構成によれば、撮像装置２００が縦位置で使用される場合でも、表示デバイス１５０の上方からの光の侵入が抑えられるので、ＥＶＦ１７０におけるコントラストの低下が抑えられ、ＥＶＦ１７０の視認性を向上させた撮像装置２００が提供される。
【０１１９】
以上、本発明の実施の形態について説明したが、言うまでもなく、本発明の技術を実現する構成は、これらの実施の形態に限定されるものではない。また、文中や図中に現れる数値等は、あくまでも一例であり、異なるものを用いても本発明の効果を損なうことはない。
【０１２０】
上述した本発明の機能等は、それらの一部または全部を、例えば集積回路で設計する等によりハードウェアで実現されてもよいし、マイクロプロセッサユニット等のコンピュータがそれぞれの機能等を実現するプログラムを解釈して実行することによりソフトウェアで実現されてもよいし、ハードウェアとソフトウェアとが併用されて実現されてもよい。
【０１２１】
また、図中に示した制御線や情報線は説明上必要と考えられるものを示しており、必ずしも製品上の全ての制御線や情報線を示しているとは限らない。実際には殆ど全ての構成が相互に接続されていると考えてもよい。
【符号の説明】
【０１２２】
１００…撮像装置、１１０…制御部、１３１…接眼検出センサ、１５０…表示デバイス、１５５…第１のバックライト、１５６…第２のバックライト、１７０…ＥＶＦ、１７１…ＥＶＦ表示素子、１７２…ＥＶＦ光学系、１７３…ＥＶＦ暗室、１７４…ＥＶＦ接眼部、１７５…裏面遮光マスク、１９０…装置本体、１９０ｂ…背面、１９０ｃ…第１の側面、１９０ｄ…第２の側面、１９０ｅ…上面、２００…撮像装置、２８１、２８１ａ、２８１ｂ、２８２…遮光部材
【図１】
2020182250.tif 000003
【図２】
2020182250.tif 000004
【図３】
2020182250.tif 000005
【図４】
2020182250.tif 000006
【図５】
2020182250.tif 000007
【図６】
2020182250.tif 000008
【図７】
2020182250.tif 000009
【図８】
2020182250.tif 000010
【図９】
2020182250.tif 000011
【図１０】
2020182250.tif 000012
【図１１】
2020182250.tif 000013
【図１２】
2020182250.tif 000014
【図１３】
2020182250.tif 000015
【図１４】
2020182250.tif 000016